(57)【特許請求の範囲】
【請求項１】
食器収納槽と、
該食器収納槽を引き出し可能に収納し、前記食器収納槽を外方より覆い外郭を構成した本体と、
食器洗浄用の加圧水供給手段と、
水を温水へ変え、また、前記食器収納槽内の温度を上昇させるためのヒータと、
縦方向の回転軸を持った排水ポンプ羽根を回転させることで前記食器収納槽内の洗浄水を機外へ排出する排水ポンプユニットと、
食器の洗浄、水すすぎ、温水すすぎ及び、乾燥の各行程を実行する制御装置
を備えたシステムキッチン形食器洗い機において、
排水ポンプユニットのケーシングには、
排水ホースを接続する排水口と、空気抜きホースを接続する空気抜き孔と、が設けられており、
前記空気抜き孔は、排水ポンプ羽根の回転方向に対して前記排水口の手前側の上部近傍に設けられていることを特徴とする食器洗い機。
【請求項２】
請求項１において、
ケーシングの上部近傍に空気孔を配設した管にホースを取り付け、該ホースを洗浄槽に設けた空気孔を配設した管に接続したことを特徴とする食器洗い機。
【請求項３】
請求項１において、
排水モータのケーシング内部と洗浄槽内部に連通する空気孔を設けたことを特徴とする食器洗い機。
【請求項４】
請求項１において、
ステータケースの底部とランナーの上部を並行にし、且つステータケースの下部外周凸部をランナーの羽根根元部まで位置させると共に、ランナーの羽根根元部と排水側の孔の上面とを一致させ、排水用孔径をランナーの羽根の高さより大きくしたことを特徴とする食器洗い機。
【請求項５】
請求項３において、
洗浄槽側の空気孔の位置を洗浄する水位よりも上にしたことを特徴とする食器洗い機。
【発明の詳細な説明】
【０００１】
【発明の属する技術分野】
本発明は、食器洗い機に係り、さらに詳しくは、排水行程における排水ポンプと排水管路の空気たまり防止構造を有する食器洗い機に関するものである。
【０００２】
【従来の技術】
国内において、洗浄槽引き出し式のシステムキッチン食器洗い機は、従来、洗浄ポンプと排水ポンプが別部品として配置されていた。排水経路の中で、洗浄槽内に設けられている水溜ケースの排水口は、排水ポンプに内に設けられたランナーの中心より上に配置されているのが一般的である。洗浄槽内の排水の位置が該ランナー中心位置より上にあると、ポンプケーシング内に空気たまりができ、この状態でランナーを回転させるとエアーロックを発生し、排水不良を起こすのである。これより、洗浄と排水ポンプを一体化したポンプユニットを配設した開発初期の引き出し式システムキッチン食器洗い機を図１、図２を基に説明する。
【０００３】
図１は、食器洗い機の縦断面図である。ポンプユニット１は、洗浄槽の下部中央部に配設されている。ポンプユニット１部、特に排水ポンプ羽根１１３は排水口１１４ｂより下に位置しているのが理論上良い。しかし、本開発の食器洗い機においては、引き出し式の採用等により、洗浄槽下面と本体底面との隙間を３０ｍｍ程度とる必要がある。このため、排水口１１４ｂとポンプユニット１の排水ポンプ羽根１１３の位置関係は、排水ポンプ羽根１１３の方が上に設定されている。このため、排水ポンプケース１１４内に空気がのこり、空気の残留状態のばらつきにより空気巻込みによるエアーロックを生じ易くなる。
【０００４】
図２に、ポンプユニット１の詳細断面図を示す。 ステータケース６にはステータ７が挿入されている。ロータ８は両側をすべり軸受９で支持され、ロータ８のシャフト１０の上面及び下面には、各々洗浄ポンプ羽根１０７と排水ポンプ羽根１１３が固定されている。ステータケース６と排水ポンプケース１１４はＯリング１３により気密を保っている。排水時ポンプケース１１４には、 排水口と吸水口が同一径内にあるためその間に排水ポンプケース仕切板１２がついているので、排水ポンプ羽根１１３の外径はこれより小さくなっている。排水ポンプ羽根１１３の上面部は、ステータケース６下面部と並行になっているので、排水ポンプ羽根１１３上面部の板厚の分だけ空間が出来る構造となっている。このため排水時ポンプケース１１４の中に溜まる空気の量が多くなり、排水時、空気の巻込み現象が生じやすく、排水不良になることがあった。
【０００５】
【発明が解決しようとする課題】
本発明は、上記の問題点を解決し、排水時のケーシング内での、ランナー回転時の水と空気の巻込みによるエアー ロックを低減し排水性能を向上した食器洗い機を提供する。
【０００６】
【課題を解決するための手段】
上記課題を解決するため、請求項１の食器洗い機は、食器収納槽と、該食器収納槽を引き出し可能に収納し、前記食器収納槽を外方より覆い外郭を構成した本体と、食器洗浄用の加圧水供給手段と、水を温水へ変え、また、前記食器収納槽内の温度を上昇させるためのヒータと、縦方向の回転軸を持った排水ポンプ羽根を回転させることで前記食器収納槽内の洗浄水を機外へ排出する排水ポンプユニットと、食器の洗浄、水すすぎ、温水すすぎ及び、乾燥の各行程を実行する制御装置を備えたシステムキッチン形食器洗い機において、排水ポンプユニットのケーシングには、排水ホースを接続する排水口と、空気抜きホースを接続する空気抜き孔と、が設けられており、前記空気抜き孔は、排水ポンプ羽根の回転方向に対して前記排水口の手前側の上部近傍に設けるものとする。
【０００８】
【発明の実施の形態】
以下、本発明を、図３〜図１２により一実施例について説明する。図７は、システムキッチンに組み込んだ食器洗い機の斜視図である。この実施の形態における食器洗い機は、２つの食器洗浄槽ユニット１００，２００を上下２段に積み重ねるように組み合わせた状態にシステムキッチン３００に組み込んだ構成である。
【０００９】
２つの食器洗浄槽ユニット１００，２００は、そのほとんどを同一構成にしているので、共通する構成については上段に位置する食器洗浄槽ユニット１００を例示して構成を説明する。
【００１０】
食器洗浄槽ユニット１００は、引き出し式の洗浄槽１０１をケース１０２内に進退可能に収容し、引き出した状態で食器の出し入れや洗剤投入を行い、押し込んだ状態で洗浄（洗い，すすぎ，乾燥）を行う。洗浄槽１０１の前側面に取り付けた前面パネル１０３は、この前面パネル１０３の前縁面に設けた１０４と上端面に設けた操作パネル１０５を備える。
【００１１】
この食器洗浄槽ユニット１００の具体的な組み立て構造を図３，図８を参照して説明する。
【００１２】
食器を収納する洗浄槽１０１は、樹脂成型によって上側を開放した箱型形状に形成する。この洗浄槽１０１の底壁の外側には偏平なブラシレスモータ１０６を取り付け、このブラシレスモータ１０６の回転軸の内端部は、洗浄槽１０１の底壁を貫通させて洗浄槽１０１内に突出させ、洗浄ポンプ羽根１０７を嵌着する。洗浄槽１０１の底壁のブラシレスモータ取り付け部の周囲は、低くして水溜部１０８を形成し、底壁との間に前記洗浄ポンプ羽根１０７の吸い込み通路を構成する隙間を介在させて取り付けた洗浄液吸込ガイド１０９を設け、洗浄ポンプ羽根１０７の吸引力を水溜部１０８内の洗浄液に効率良く作用させることができるように構成する。
【００１３】
ノズルアーム１１０は、その中央部に形成した受水口１１０ａが前記洗浄ポンプ羽根１０７の吐出口を包囲して該洗浄ポンプ羽根１０７からト吐出する洗浄液を受け入れるように、前記洗浄吸込ガイド１０９に回転自在に嵌着する。
【００１４】
また、ノズルアーム１１０は、洗浄ポンプ羽根１０７から受け入れた洗浄液をノズルアーム１１０の上面に設けた複数の洗浄噴射穴１１０ｂから直交あるいは斜め上向きに噴射し、食器に当て洗浄する。
【００１５】
さらに、ノズルアーム１１０は、洗浄ポンプ羽根１０７から吐き出された水をガイド１１０ｃによってノズルアーム１１０の側壁に水を当てる力で回転させる。
【００１６】
また、ノズルアーム１１０の側壁底部に穴１１０ｄを複数個配設させ仕切り板１１１の上面に向けて斜めに噴射させるこの噴射によって仕切り板１１１についた残菜を流し、仕切り板に残菜が付着しないようにしている。洗浄液吸込ガイド１０９とノズルアーム１１０の間には、洗浄槽１０１の底部を上下に仕切る濾過網目付きの仕切り板１１１を設置し、この仕切り板１１１の裏側（下側）に概略環状のシーズヒータ１１２を配置する。
【００１７】
ブラシレスモータ１０６の回転軸の外端部には、排水ポンプ羽根１１３を嵌着し、この排水ポンプ羽根１１３を包囲する排水ポンプケース１１４を取り付ける。この排水ポンプケース１１４には、前記洗浄槽１０１の底部に接続する吸水口１１４ａと、排水ホース１１５に接続する排水口１１４ｂと、洗浄槽１０１内に開口するように空気抜ホース１１６を接続する空気抜き孔１６を設ける。
【００１８】
前記排水ポンプ羽根１１３は、ブラシレスモータ１０６を正回転（洗浄モード）させたときには排水ポンプ機能を発揮せず、逆回転（排水モード）させたときに排水ポンプ機能を発揮するように構成する。
【００１９】
洗浄槽１０１の前側壁の外側には、乾燥用の空気を洗浄槽１０１の下部に吹き込んで循環させる送風装置１１７を設置する。洗浄槽１０１内の湿潤空気は、側壁に形成した排気口１０１ａから機外に排気する。
【００２０】
また、洗浄槽１０１内には、ノズルアーム１１０の上方に位置するように食器載置かご１１８を設置する。この食器載置かご１１８は、下段に位置する食器洗浄ユニット２００では、食器載置かごと調理器具載置かごを選択的に設置することができるように構成する。食器載置かごは、図９に示すように、茶碗や皿やコップ等の食器を載置するのに好適な形態に構成し、調理器具載置かごは、図１０に示すように、フライパンや鍋やボール等の調理器具と食器を並べて載置するのに好適な形態に構成する。
【００２１】
また、洗浄槽１０１の上縁の全周には、中空パッキング１１９を当接してシールするためパッキング当接１０１ｂを形成する。
【００２２】
このように構成した洗浄槽１０１の両外側面には、ケース１０２内に進退可能に設置するためのスライドレール１２０とローラ１２１を取り付ける。
【００２３】
ケース１０２は、前後方向と上方向を開放するように略Ｕ字形状に鋼板を折り曲げて形成し、両上端開放縁を内面に折り曲げて庇１０２ａを形成する。そして、上側開放面は、庇１０２ａの内面（庇１０２ａの下面）のシール天面１２２の端縁部の上面を当接してねじ止めすることにより閉じる。また、後側の開放辺の上部は、上端縁を内側に折り曲げた鋼板製の補助板（図示省略）を外側から押し当てて押え込むようにケース１０２およびシール天板１２２にねじ止めして補強する。
【００２４】
そして、両側内面には、洗浄槽１０１のスライドレール１２０とローラ１２１と組み合わせる固定レール１２３とローラを取り付ける。
【００２５】
洗浄槽１０１から漏水防止用シールは、図１１，図１２に示すように、ケース１０２の上端開放縁を内側に折り曲げて形成した庇１０２ａで押えられたシール天板１２２の外周縁部の内側（下面）に洗浄糟１０１の上端全周に形成したパッキン当接鍔１ｂに対向するように環状の中空パッキング１１９を設け、エアーポンプによって中空パッキング１１９に加圧空気を送って膨らませることにより膨らんだパッキング１１９を洗浄槽１０１のパッキング当接鍔１ｂとシール天板１２２の間に弾性的に当接（弾着）させて安定したシールを実現する。
【００２６】
シール天板１２２は、樹脂成型によって形成、外周縁部の内側には、環状のパッキング収納溝１２２ａを下向きに開放するように形成し、このパッキング収納溝１２２ａの底には、中空パッキング１１９の上側壁に突設して弾着部１１９ａを嵌着して取り付ける取り付け溝１２２ｂと、中空パッキング１１９の上側壁に形成した給排気口１１９ｃを露出させる給排気口窓１２２ｃを設ける。この給排気口窓１２２ｃの上側部には、シール天板１２２の端面に開放する横向きの継ぎ手溝１２２ｂを連設する。中空パッキング１１９の給排気口１１９ｃに対する給排気パイプ１２４の接続は、Ｌ字状の継手１２５の一辺を前記給排気口１１９ｃに差し込んで中空パッキン１１９に接続し、他辺を給排気口パイプ１２４に差し込んで実現する。この接続は、継ぎ手１２５，給排気パイプ１２４を給排気口窓１２２ｃと継ぎ手溝１２２ｄ内収納するように配置して実現し、シール天板１２２の上面に継ぎ手１２５と給排気パイプ１２４が突出しないように構成する。
食器洗い機は、一般的に図１４に示すブロック図の運転行程で行なわれる。電源を入れ、スイッチ入れて、コース設定をし、スタートさせると、洗い、水すすぎ、温水すすぎ、乾燥の順番で自動運転され終了する。
【００２７】
ここで、本発明の食器洗い機の制御について図１３の制御ブロック図をもとに説明するこの制御装置１５０は、上段の食器洗浄槽ユニット１００における従来のような食器洗浄制御を実行する制御系１５１と下段の食器洗浄槽ユニット２００における調理器具または食器洗浄制御を実行する制御系１５２を備える。各制御系１５１，１５２は、それぞれマイクロコンピュータ１５３，１５４を中心にして同様に構成するので、ここでは、制御系１５１について説明する。
【００２８】
マイクロコンピュータ１５３は、前記操作パネル１０４，１０５のスイッチである操作パネルスイッチ１５５からの操作入力に従って、メモリ１５６に格納しているプログラムを実行して洗浄制御を実行する。
【００２９】
そのために、マイクロコンピュータ１５３は、洗浄液の水位を感知する水位センサ１５７，ドアセンサ１５８，中空パッキング空気圧センサ１５９，洗浄液の温度を感知する水温センサ１６０，ヒータ過熱センサ１６１からの検知信号を入力し、中空パッキング１１９への給気および排気を制御するエアポンプユニット１６２と、吸水電磁弁１６３と、前記シーズヒータ１１２と、前記ブラシレスモータ１０６と、前記乾燥給気ファン１１７と、前記操作パネル１０４，１０５に設けた表示器１６４とブザー１６５を制御する。
【００３０】
そして、マイクロコンピュータ１５３は、洗い工程では、吸水電磁弁１６３を開いて所定水位までの吸水を実行し、ブラシレスモータ１０６を正回転（洗浄モード）で運転して洗浄ポンプ羽根１０７を回転させることにより、洗浄槽１０１の水溜部１０８から洗浄液を吸い上げてノズルアーム１１０に供給し、洗浄噴射１１０ｂから食器載置かご１１８に向けて噴射して食器洗いや調理器具洗いを実行する。
【００３１】
洗浄液は、必要に応じてシーズヒータ１１２に通電して加熱する。
【００３２】
洗いが終了すると、ブラシレスモータ１０６を逆回転（排水モード）として排水ポンプ羽根１１３を機能させて洗浄槽１０１内の洗浄液を排水する。
【００３３】
その後、吸水電磁弁１６３を開いて所定水位まですすぎ水を吸水し、必要に応じてシーズヒータ１１２を通電してすすぎ水を加熱する。このすすぎ水の排水も洗浄液の排水と同様に行う。
【００３４】
乾燥工程では、乾燥給気ファン１１７により給気し、シーズヒータ１１２で加熱して温風乾燥を実行する。
【００３５】
上段の食器洗浄槽ユニット１００の制御系１５１は、従来の食器洗い機と同様な食器洗浄制御を実行する。本実施例の形態は、二つの制御系１５１，１５２を有しており、これらは、通信線４００で接続され、双方のシーズヒータが同時に動作しないように制御している。
【００３６】
次に、本発明における排水行程の運転制御について、図１５のフローチャート図をもとに説明する。本発明の排水行程では、洗浄、排水モータが同一構成であることより、排水時は、該モータを逆回転させて排水ポンプ羽根を回転させる。排水時、水位センサーにより水位を検知し、水が排水されている時の該水位センサーの出力をマイコンで制御し、所定時間排水し終了する。エアーロック状態時は、排水されず、水位変動がないため水位センサーの出力は変化しない。この場合は、再度排水モータを駆動させるリトライ機能を有する制御となっている。
【００３７】
ここで、本発明の食器洗い機の洗浄及び乾燥工程と排水行程のエアーロック防止構造について、図３、図４、図５、図６、図８より説明する。汚れた食器を食器載置かごに配置させ、洗剤を洗浄槽内に投入後、操作パネル１０４のスイッチを押すことにより、制御基板３０１により洗い、乾燥までの工程で運転が行われる。まず、エアーポンプ１６２から空気を中空パッキング１１９内に送り、膨らましシール天板１２２と洗浄槽１０１の隙間をなくし水封する。次にブラシレスモータ１０６に通電し、排水ポンプ羽根１１３を逆回転させて洗浄槽１０１内に水が入っている時、排水させる。この排水においてエアーロックを防止する構成が必要となる。ポンプユニット１は洗浄槽１０１の、ほぼ中央部に 設けられている。洗浄槽１０１の下面には吸水口１１４ａがあり、その下面は排水ポンプ羽根１１３の下面と同等又はそれ以下になるように設定されている。
【００３８】
図４にポンプユニット１の断面図を示す。ステータケース６にはステータ７が挿入されている。また、ステータケース６の下部外周凸部１４は排水ポンプ羽根１１３の羽根根元部まで位置させ、排水用の穴１５の位置は排水用ポンプ羽根１１３の羽根根元と一致させ、排水用の穴１５を排水用ポンプ羽根１１３の羽根の高さより大きくしている。排水ポンプケース１１４には穴径が小さく上面の高さが排水用の穴１５と同一面に配置した空気抜き孔１６を備えている。空気抜き孔１６は、水没しないように洗浄槽１０１の側面に接続されて、排水時に空気の溜りがある場合は一部の排水と共にに再度洗浄槽内に戻す構造とした。
【００３９】
しかしながら洗剤が多量に入った場合は泡が消える時間が必要なため排水の可否を水位センサで検知し、マイコン側で複数回再始動をかけて排水するようにした。
【００４０】
次に、給水弁３０２に通電、給水する。水は洗浄槽１０１の下方部、吐き出し口３０４より洗浄槽内に流入する。流入した水は、温度差により水位位置を設定する水位センサ３０６によりノズルアーム１１０の下面まで流入させる。約３．２リットルの水量である。流入後、ブラシレスモータ１０６に通電し、洗浄ポンプ羽根１０７を正回転させ洗浄槽内の水を洗浄液吸込ガイド１０９の下よりノズルアーム１１０の内部を流し、洗浄噴射穴１１０ｂから噴射させ食器を洗う。水温は洗浄時６５℃程度までシーズヒータ１１２によって加熱させる。洗い終了後、排水、給水、洗い２〜３分程度行う工程を３回繰り返し、水すすぎ工程としている。その後、温水（加熱）すすぎがを行う。温水すすぎの温度は、７０℃以上で制御している。念入りコーズでは８０℃程度まで加熱している。そして、排水後、乾燥工程に入る。乾燥時は、シーズヒータ１１２を間欠的にＯＮ、ＯＦＦし、温度のコトロールを行いながら、送風装置１１７を駆動させ、風を仕切り板１１１の下からシーズヒータに当てながら仕切り板１１１の多数の穴から洗浄槽１１０内の食器に温風として当て、排気窓１０１ａを介して外に出す。標準コースの工程時間は、約９０分（洗い２５分、水すすぎ１２分、温水すすぎ２２分、乾燥３０分）である。
【００４１】
【発明の効果】
本発明によれば洗浄槽排水口の下面を排水ポンプ羽根の下面以下としているので通常はその位置まで空気が入らないようにしている。また、ステータケースの下面外周凸部を、排水ポンプ羽根の根元部までもってきているので排水ポンプケース（ケーシング）の中の空気が残る空間部を少なくしている。それでも排水ポンプケースの中に空気が残る場合があるので排水口に近い回転方向に対して手前側に空気抜き孔を設けることにより排水時ほどの圧力はでないが、空気を抜く程度の圧力を得られ排水ポンプケース内の空気を、排水と共に抜くことができる。空気は排水時の能力が高いほど抜きやすいことから排水口を、一番ポンプ効率の高い排水ポンプ羽根の根元から下面より、更に下側にすることにより性能向上を図った。
【００４２】
また、排水ポンプケース（ケーシング）の上部近傍に空気孔を配設した管に空気抜ホースを取り付け、該空気抜ホースを洗浄槽に設けた空気孔を配設した管に接続することにより、排水開始と同時に洗浄槽に水を戻す。この戻し水に空気を混合させ排水ポンプケース内の空気を短時間に吐出する。
【００４３】
さらに、排水ホースの一部に設けた空気孔を配設した管にホースを取り付け、該ホースを洗浄槽に設けた空気孔を配設した管に接続することにより、本体後面にループ状に配設ホース内の圧力を大気開放することでスムーズな排水が可能となる。
【００４４】
さらにまた、洗い時の洗剤による泡のエアーロックに対しても再始動を複数回行うことにより確実に排水を行い排水不良の防止を図った。これらにより、使い勝手の良い、引き出し式のシステムキッチン食器洗い機を顧客に提供することができる。
【図面の簡単な説明】
【図１】  本発明前の食器洗浄槽ユニットの縦断正面図である。
【図２】  ポンプユニットの断面図である。
【図３】  本発明になる食器洗浄槽ユニットの縦断正面図である。
【図４】  本発明の構造を有したポンプユニットの断面図である。
【図５】  本発明の構造を有した排水ポンプケースの上面図である。
【図６】  本発明の構造を有した排水ポンプケースの断面図である。
【図７】  本発明になる食器洗い機を組み込んだシステムキッチンの斜視図である。
【図８】  本発明になる食器洗浄槽ユニットの横断正面図である。
【図９】  図７に示した食器洗い機の上段の食器洗浄槽ユニットを引き出した状態を示す
平面図である。
【図１０】  図７に示した食器洗い機の下段の食器洗浄槽ユニットを引き出した状態を示す
平面図である。
【図１１】  洗浄槽からの漏水防止用シール部を拡大して示す縦断正面図である。
【図１２】  洗浄槽からの漏水防止用シール部の給排気接続部を拡大して示す縦断正面図で
ある。
【図１３】  本発明における食器洗い機の制御ブロック図である。
【図１４】  食器洗い機における運転行程を示すブロック図である。
【図１５】  本発明における排水行程の運転制御を示すフローチャート図である。
【符号の説明】
３００…システムキッチン，２００…食器洗洗浄槽ユニット，１００…食器洗洗浄槽ユニット，１０１…洗浄槽，１０１ａ…排気窓，１０１ｂ…パッキング当接鍔，１０１ｄ…排気口，１０２…ケース，１０２ａ…庇，１０３…前面パネル，１０４…操作パネル，１０５…操作パネル，１０６…ブラシレスモータ，１０７…洗浄ポンプ羽根，１０８…水溜部，１０９…洗浄液吸込ガイド，１１０…ノズルアーム，１１０ａ…受水口，１１０ｂ…洗浄噴射穴，１１０ｃ…ガイド，１１０ｄ…穴，１１１…仕切り板，１１２…シーズヒータ，１１３…排水ポンプ羽根，１１４…排水ポンプケース，１１４ｂ…排水口，１１４ａ…吸水口，１１５…排水ホース，１１６…空気抜ホース，１１７…送風装置，１１８…食器載置かご，１１９…中空パッキング，１１９ａ…弾着部，１２０…スライドレール，１２１…ローラー，１２２…シール天板，１２２ａ…パッキング収納溝，１２２ｂ…取り付け溝，１２２ｃ…給排気窓，１２３…固定レール，１２４…給排気パイプ，１２５…継ぎ手，３０１…制御基板，３０２…給水弁，３０４…吐き出し口，３０６…水位センサ，１６２…エアーポンプ，１…ポンプユニット，６…ステータケース，７…ステータ，８…ロータ，９…軸受，１０…シャフト，１２…排水ポンプケース仕切板，１４…外周凸部，１６…空気抜き孔，１６４…表示機，１５６…メモリ，１６３…給水弁，１５８…ドアセンサ，４００…接続線，１６０…水温センサ，１６１…過熱センサ，１５５…操作スイッチ，１６５…ブザー，１５９…エアパッキン圧力センサ。
【図１】
0004085627.tif 000002
【図２】
0004085627.tif 000003
【図３】
0004085627.tif 000004
【図４】
0004085627.tif 000005
【図５】
0004085627.tif 000006
【図６】
0004085627.tif 000007
【図７】
0004085627.tif 000008
【図８】
0004085627.tif 000009
【図９】
0004085627.tif 000010
【図１０】
0004085627.tif 000011
【図１１】
0004085627.tif 000012
【図１２】
0004085627.tif 000013
【図１３】
0004085627.tif 000014
【図１４】
0004085627.tif 000015
【図１５】
0004085627.tif 000016